(57)【要約】【課題】  手間を掛けずに簡単に設置できるようにする。【解決手段】  植栽トレーＡの側方に位置して植栽トレーＡの側部を目隠し自在なカバー部材１９を備えた植栽トレーカバーにおいて、カバー部材１９は、カバー本体部１９Ａと、そのカバー本体部１９Ａを植栽トレーＡの側縁部に取付自在な係止部１９Ｂとを備えている。【選択図】        図１６
2005192451.tif 000002
【特許請求の範囲】
【請求項１】
植栽トレーの側方に位置して植栽トレーの側部を目隠し自在なカバー部材を備えた植栽トレーカバーであって、
前記カバー部材は、カバー本体部と、そのカバー本体部を前記植栽トレーの側縁部に取付自在な係止部とを備えている植栽トレーカバー。
【請求項２】
前記係止部は、前記植栽トレーの周壁部に係止自在な上係止部と下係止部とを上下に配置して構成してある請求項１に記載の植栽トレーカバー。
【請求項３】
前記係止部の係止状態を解除操作自在な係止解除部が設けられている請求項１又は２に記載の植栽トレーカバー。
【請求項４】
前記係止部には、前記係止部による前記植栽トレーへの係止状態のまま、前記カバー部材と前記植栽トレーとの相対上下移動を許容するスライド機構が備えられていると共に、前記係止解除部は、前記カバー部材の裏面側下方位置に配置してある請求項３に記載の植栽トレーカバー。
【請求項５】
前記カバー本体部と前記係止部とは嵌合部を介して嵌合自在な別部材で形成してある請求項１〜４の何れか一項に記載の植栽トレーカバー。
【請求項６】
前記嵌合部は、前記カバー本体部と前記係止部とが前記カバー本体部の長手方向に沿って相対移動自在な状態に嵌合できるように形成してあり、これら両者の前記相対移動を阻止するストッパを、前記係止部に設けてある請求項５に記載の植栽トレーカバー。
【請求項７】
前記ストッパは、前記カバー本体部と前記係止部との前記相対移動を阻止する作用状態と、前記相対移動を阻止しない非作用状態とに切替自在に構成してある請求項６に記載の植栽トレーカバー。
【請求項８】
前記嵌合部は、前記カバー部材の厚み方向で少なくとも二箇所に設けられている請求項５〜７の何れか一項に記載の植栽トレーカバー。
【発明の詳細な説明】
【技術分野】
【０００１】
本発明は、植栽トレーの側方に位置して植栽トレーの側部を目隠し自在なカバー部材を備えた植栽トレーカバーに関する。
【背景技術】
【０００２】
近年、地球環境の改善に関連して、屋上緑化が注目を浴びており、例えば、屋上に土を敷き、植物を植えたり、植物を植え付けた植栽マットを敷くと言ったことが実施されるようになってきている（例えば、特許文献１参照）。そして、このような屋上緑化を、より簡単に実施できるものとして、屋上に直に土やマットを敷くのではなく、トレー状の容器内に土と植物（又は、前記植栽マット）を入れて構成された植栽トレーを、屋上に敷き並べることで植栽部を形成するものも実施されている。この植栽トレーを使用すれば、次々と植栽トレーを並べて配置するだけの簡単な作業で植栽部を形成することができる上、植栽部の形状変更も、各植栽トレーの配置を替えるだけで簡単に実施できる。更には、植栽のメンテナンス作業も、植栽トレーを取り替える等の極めて簡単な作業で実施することが可能となる。
また、多数の植栽トレーを敷き並べた状態での端列部分は、植栽トレーの側面が露出するから殺風景となり易く、この部分の意匠性を向上させるためには、植栽トレーの側方に目隠し用の植栽トレーカバーを設置している。
従来、この種の植栽トレーカバーとしては、特別なものが有るわけではなく、屋上に直に土や植栽マットを敷く時に用いている仕切り板を、そのままカバー部材として流用していることが多い。
即ち、図１７に示すように、前記カバー部材５０は、カバー本体部５１と、そのカバー本体部５１を下地Ｕに固定する複数の固定具５２とを備えて構成してあった。
因みに、カバー本体部５１は長尺の帯状部材で構成してあり、固定具５２は、下地Ｕ上に接着固定する円盤状のベース部５２Ａと、そのベース部５２Ａ上に一体に立設されたボルト部５２Ｂと、前記ボルト部５２Ｂに、前記カバー本体部５１を挟持固定するナット部５２Ｃとを備えて構成してあり、植栽トレーＡ群の側方において、間隔をあけて複数の前記固定具５２をそれぞれ下地Ｕ上に固定した後、それら固定具Ｕにわたってカバー本体部５１を配置して前記ナット部５２Ｃでボルト部５２Ｂに取り付けることで設置していた。
【０００３】
【特許文献１】特開２００２−２２７３５４号公報（図１、図７）
【発明の開示】
【発明が解決しようとする課題】
【０００４】
上述した従来の植栽トレーカバーによれば、設置するのに、下地上に多数の固定具を接着固定した後、それら固定具にカバー本体部を取り付ける必要があり、手間が掛かるという問題点があった。また、このようにして植栽トレーカバーを下地上に設置してしまった後、例えば、植栽の形状変更や、植栽そのものを撤去する必要が生じたような場合、接着固定した多数の固定具を取り外さなければならなくなり、その取り外し時に防水層を損傷してしまう等の危険性もある。
【０００５】
従って、本発明の目的は、上記問題点を解消し、手間を掛けずに簡単に設置できる植栽トレーカバーを提供するところにある。
【課題を解決するための手段】
【０００６】
本発明の第１の特徴構成は、植栽トレーの側方に位置して植栽トレーの側部を目隠し自在なカバー部材を備えた植栽トレーカバーにおいて、前記カバー部材は、カバー本体部と、そのカバー本体部を前記植栽トレーの側縁部に取付自在な係止部とを備えているところにある。
【０００７】
本発明の第１の特徴構成によれば、前記カバー部材は、カバー本体部と、そのカバー本体部を前記植栽トレーの側縁部に取付自在な係止部とを備えているから、前記係止部を前記植栽トレーの側縁部に取り付けるだけの簡単な手間で、カバー本体部で植栽トレーの側部を目隠しできる状態に当該植栽トレーカバーを取り付けることができる。
従って、従来のように下地上に接着剤を使用して多数の固定具を接着した後、カバー本体部を取付固定するような煩雑な作業を行わなくても、簡単に植栽トレーカバーを設置することができる。
そして、このような取付作業の操作性向上は、植栽トレーの配置替え時や、撤去時にも同様に期待することができ、結果的には、植栽設置作業の効率向上にも寄与することができる。
【０００８】
本発明の第２の特徴構成は、前記係止部は、前記植栽トレーの周壁部に係止自在な上係止部と下係止部とを上下に配置して構成してあるところにある。
【０００９】
本発明の第２の特徴構成によれば、本発明の第１の特徴構成による上述の作用効果を叶えることができるのに加えて、植栽トレーの周壁部に対して、上下の二箇所の係止部で係止することができ、安定した状態に植栽トレーカバーを取り付けることができる。
特に、屋外で使用するような場合には、カバー本体部に風の吹き上げ力が作用し易いが、上下の係止部で係止していることで上下揺動し難く、吹き飛ばされ難い状態に取り付けることが可能である。
【００１０】
本発明の第３の特徴構成は、前記係止部の係止状態を解除操作自在な係止解除部が設けられているところにある。
【００１１】
本発明の第３の特徴構成によれば、本発明の第１又は２の特徴構成による上述の作用効果を叶えることができるのに加えて、前記係止解除部によって前記係止部の係止状態を解除することができ、植栽トレーから当該植栽トレーカバーを簡単に取り外すことが可能となる。
【００１２】
本発明の第４の特徴構成は、前記係止部には、前記係止部による前記植栽トレーへの係止状態のまま、前記カバー部材と前記植栽トレーとの相対上下移動を許容するスライド機構が備えられていると共に、前記係止解除部は、前記カバー部材の裏面側下方位置に配置してあるところにある。
【００１３】
本発明の第４の特徴構成によれば、本発明の第３の特徴構成による上述の作用効果を叶えることができるのに加えて、係止解除部をカバー部材の裏面側下方位置に配置してあるから、植栽トレーカバーの表面側に係止解除部が露出するのを防止でき、意匠性の向上を図ることができる。
また、前記スライド機構が備えられているから、前記係止解除部の操作を行う際に、カバー部材を上方へスライドさせて、カバー部材と下地との間に指等が入れられる隙間を作りその隙間を通して容易に係止解除操作を行うことができる。この様な係止解除操作は、カバー部材の高さ寸法を大きく設計して植栽トレーの側縁部を上から下まで全域を覆い隠せるようにしてあっても、同じように容易に行うことができる。
尚、カバー部材で植栽トレーの側縁部を広く覆うことで、前述の目隠し効果による意匠性向上の他に、例えば、植栽トレーが合成樹脂等の紫外線劣化を受け易い材料で形成してある場合に、直射日光を遮ることができ、劣化防止を図ることが可能となる。
【００１４】
本発明の第５の特徴構成は、前記カバー本体部と前記係止部とは嵌合部を介して嵌合自在な別部材で形成してあるところにある。
【００１５】
本発明の第５の特徴構成によれば、本発明の第１〜４の何れかの特徴構成による上述の作用効果を叶えることができるのに加えて、前記カバー本体部と前記係止部とは嵌合部を介して嵌合自在な別部材で形成してあるから、両者が一体に設けられているものに比べて、カバー本体部に対する係止部の取り付き位置を自由に選択することが可能となる。即ち、既設の植栽トレー群に当該植栽トレーカバーを取り付けるような場合、取付対象となる植栽トレーの規格が異なれば、係止部を係止可能な位置も変化することがあり、例えば、カバー本体部の長手方向に複数の嵌合部を形成しておき、それらの嵌合部の中から位置が合う嵌合部のみに係止部を係止させると言った臨機応変な対応をとることができる。従って、植栽トレーカバーの汎用性を向上させることが可能となる。
そして、他の作用として、カバー部材の表面の劣化が進み、取り替える必要が生じた場合に、係止部をそのまま使用しながらカバー本体部のみを新しいものに交換すると言うことが可能となり、コストダウンを図ることが可能となる。
また、カバー本体部と係止部とを材質を異ならせて形成することができるようになる。その結果、例えば、劣化し易いカバー本体部を、係止部より耐久性の高い材料を選択したり、他物が当接して破損し易いカバー本体部を、係止部より強度の高い材料を選択すると言った使い分けを自由に行うことが可能となる。
更には、比較的単純な断面構造を採用し易いカバー本体部を、例えば、押出成形法等の大量生産の可能な製造法で作り、コストダウンを図ることが可能となる。
【００１６】
本発明の第６の特徴構成は、前記嵌合部は、前記カバー本体部と前記係止部とが前記カバー本体部の長手方向に沿って相対移動自在な状態に嵌合できるように形成してあり、これら両者の前記相対移動を阻止するストッパを、前記係止部に設けてあるところにある。
【００１７】
本発明の第６の特徴構成によれば、本発明の第５の特徴構成による上述の作用効果を叶えることができるのに加えて、前記カバー本体部と前記係止部とが前記カバー本体部の長手方向に沿って相対移動自在な状態に嵌合できるように形成してあるから、カバー本体部の長手方向での任意の位置に係止部が位置するように嵌合させることができる。従って、植栽トレーに植栽トレーカバーを取り付けるに際し、係止部の係止位置を、植栽トレーの状況（寸法や植栽状況等）に合わせて任意に選択できるようになり、植栽トレーカバーの汎用性を、より向上させることが可能となる。また、植栽トレーに係止部を係止させた状態においてカバー本体部がスライドして位置ずれするのは、前記ストッパによって阻止することができ、意匠性を損なうことなく植栽トレーに取り付けることが可能となる。
【００１８】
本発明の第７の特徴構成は、前記ストッパは、前記カバー本体部と前記係止部との前記相対移動を阻止する作用状態と、前記相対移動を阻止しない非作用状態とに切替自在に構成してあるところにある。
【００１９】
本発明の第７の特徴構成によれば、本発明の第６の特徴構成による上述の作用効果を叶えることができるのに加えて、ストッパの作用状態を自由に切り替えることが可能となる。従って、カバー本体部と係止部とが、単にスライド自在に嵌合しているだけの方が作業を進めやすい場合には、ストッパを非作用状態としたり、任意に選択することが可能となる。その結果、必要な時にスットパ機能を使用できるようになり、取扱性が向上する。
【００２０】
本発明の第８の特徴構成は、前記嵌合部は、前記カバー部材の厚み方向で少なくとも二箇所に設けられているところにある。
【００２１】
本発明の第８の特徴構成によれば、本発明の第５〜７の何れかの特徴構成による上述の作用効果を叶えることができるのに加えて、
係止部とカバー本体部とを、前記カバー部材の厚み方向で少なくとも二箇所に設けられた嵌合部によって嵌合することができ、植栽トレーに係止させた係止部に対して、安定した状態にカバー本体部を取り付けることができる。
特に、屋外で使用するような場合には、カバー本体部に風の吹き上げ力が作用し易いが、少なくとも二箇所の嵌合部で嵌合していることで上下揺動し難く、吹き飛ばされ難い状態に取り付けることが可能である。
【発明を実施するための最良の形態】
【００２２】
以下に本発明の実施の形態を図面に基づいて説明する。尚、図面において従来例と同一の符号で表示した部分は、同一又は相当の部分を示している。
【００２３】
図１は、当該発明の植栽トレーカバーの一実施形態品であるトレーカバーＣを、屋上Ｒに複数の植栽トレー（以後単にトレーと言う）Ａを並設して形成した植栽ゾーンＳの端に取り付けてある状況を示すものである。
【００２４】
屋上Ｒの説明をすると、図１、図２に示すように、屋上スラブＲ１上に防水層Ｒ２を設けて構成してある。
前記防水層Ｒ２は、例えば、シート防水等によって施工された防水層で、前記屋上スラブＲ１と一体的に設けられている。
【００２５】
前記植栽ゾーンＳは、防水層Ｒ２上に、植栽物（例えば、草や木、及び、乾燥状態や貧栄養状態でも生育するセダム類等）２を植えた複数のトレーＡを縦横に並設して構成してある。トレーＡの植栽部３は、前記植栽物２の植付層となる土を入れて構成してある。土は、火山砂利やセラミックス系のもの等を使用すれば、乾燥・貧栄養条件を維持しやすく、雑草の侵入を抑制した状態で前記セダム類の生育環境を最適化することが可能となる。
【００２６】
前記トレーＡは、合成樹脂の射出成形によって製造してあり、図２〜４に示すように、前記植栽部３を形成するトレー本体部４を設け、前記トレー本体部４の下面側に、前記屋上Ｒ上に接地自在な複数の脚部５を設け、隣接する前記脚部５の接地部５ａにわたって、前記屋上Ｒ上に接地自在な梁部６を設けて構成してある。これら、トレー本体部４、脚部５、梁部６は、一体に形成されている。
【００２７】
前記トレー本体部４は、平面視での四隅が面取りしてある略正方形に形成してある。そして、前記植栽部３を支持する状態の底面部４ａと、この底面部４ａの外周から壁状に立設された側面部４ｂとを備えて構成してある。従って、前記底面部４ａ、側面部４ｂとで前記土が保持されて、植栽部３が構成されている。
【００２８】
前記側面部４ｂは、前述の通り、四隅が面取り形状の底面部４ａの外周縁部を壁状に立ち上げた形状に構成されており、例えば、図５に示すように、複数のトレー本体部４を屋上Ｒの表面に沿って並設することによって、四つ（端の列では二つ）のトレー本体部４の各面取り部分が、隣接状態に位置するように配置することができ、これらの各面取り部に囲まれた縦空間Ｋ１に、トレーＡを固定するための押さえ部材１６が配置される。
また、側面部の外周面には、隣接するトレーＡどうしを連結する連結ピン１３や、前記トレーカバーＣを取り付けるための取付部１４を形成してある。一方、トレー本体部４の四隅の側面部（面取り部分）には、前記押さえ部材１６を係止させる被固定部１８が形成してある。
前記取付部１４は、図６に示すように、前記側面部４ｂの平面視での中央部と両端部とにそれぞれ形成してあり、外面に縦方向に形成された溝状部１４Ａと、溝状部１４Ａの下端部側に溝縁部間にわたって設けられた被係止部１４Ｂとを設けて構成してある。
【００２９】
前記連結ピン１３は、合成樹脂の一体成形品であり、図６に示すように、断面形状が逆「Ｕ」字形のピン本体１３Ａと、ピン本体１３Ａの頂部に形成された操作部１３Ｂとを設けて構成してあり、隣接配置した両トレーＡの溝上部１４Ａにわたる状態にピン本体１３Ａを挿入すると、先端爪Ｇが被係止部１４Ｂに係止して、両トレーＡを連結することができる。
【００３０】
尚、前記トレーＡの屋上Ｒへの固定は、図７に示すように、予め屋上Ｒに取り付けられた固定具本体１５に対して、前記押さえ部材１６を用いてトレーＡの前記被固定部１８を押さえ固定することで実施される。
【００３１】
前記固定具本体１５は、図８に示すように、円板形状のベース部分１５ａと、ベース部材１５ａの中央部に立設されたネジ部分１５ｂと、ネジ部分１５ｂに螺合自在に形成された係止ナット部材１５ｃとを備えて構成してある。
【００３２】
前記押さえ部材１６は、図７、図８に示すように、前記固定具本体１５のネジ部分１５ｂに外嵌自在な縦筒部１６Ａを中央に備え、縦筒部１６Ａの下端外周部から斜め上方への放射状に取り付けられた四つ（植栽ゾーンＳの端に位置する部分に使用する場合は二つ）の押さえ部１６Ｂを設けて構成してある。
そして、トレー本体部４間の前記縦空間Ｋ１に位置する状態に固定された固定具本体１５に、前記縦筒部１６Ａを挿通させて、トレー本体部４の被固定部１８に前記押さえ部１６Ｂが挿入係止する状態に押さえ部材１６を配置し、前記縦筒部１６Ａから上に突出した固定具本体１５のネジ部分１５ｂに係止ナット部材１５ｃを螺合させながらその螺合位置を下方に移動させることで、前記押さえ部材１６の押さえ部１６Ｂがトレー本体部４の被固定部１８を押さえた状態に位置規制され、トレー本体部４を固定することが可能となる。
【００３３】
次に、前記トレーカバーＣについて説明する。
トレーカバーＣは、図９、図１０に示すように、前記トレーＡに取り付けることで、その側部を目隠しすることができるカバー部材１９で構成してあり、カバー本体部１９Ａと、そのカバー本体部１９Ａを前記トレーＡの側縁部に取付自在な複数の係止部１９Ｂとの二種類の部材でできている。そして、これらカバー本体部１９Ａと前記係止部１９Ｂとは嵌合部２０を介して嵌合自在に形成されている。
【００３４】
前記カバー本体部１９Ａは、本実施形態では、金属の押出成形によって形成してあり、全長にわたって同一断面形状で、横断面形状においては、図１１に示すように、トレーＡ側縁部の上方を覆う上面部１９Ａａと、側方を覆う側面部１９Ａｃと、それら両面部をつなぐ斜面部１９Ａｂとを備えた構成となっている。そして、複数のトレーＡにわたる長さ寸法に形成してある。
尚、植栽ゾーンＳの隅部分に設置するカバー本体部１９Ａは、例えば、役物としての「Ｌ」字型平面形状に形成したものを使用したり、又は、長尺のカバー本体部１９Ａをそのまま使用し、端面を額縁のように傾斜切断面として構成し、その傾斜切断面どうしを隅部分で突き合わせるように構成することができる。
上面部１９Ａａは、端縁部を下方へ屈曲する状態に形成してあり、係止部１９Ｂとカバー本体部１９Ａとの嵌合状態においては、この屈曲部２１が、前記係止部１９Ｂの上縁部１９Ｂａに引っ掛かる状態に嵌合する。
また、上面部１９Ａａの裏面部には、下方へ延出する第一係止片２２が設けてあり、係止部１９Ｂとカバー本体部１９Ａとの嵌合状態においては、この第一係止片２２が、前記係止部１９Ｂの第一係止溝２３に進入して引っ掛かる状態に嵌合する。
因みに、前記上面部１９Ａａは、当該トレーカバーＣをトレーＡに取り付けた状態で、トレー側が低くなるような傾斜面として形成してある（図１１（ロ）参照）。従って、雨水等の水を植栽部３側へ誘導することができ、植栽部３の土の乾燥緩和を図っている。更には、トレーカバーＣ上に水が溜まったままになるのを防止でき、例えば、酸化等の腐蝕が進行し難くいようにしている。
また、前記斜面部１９Ａｂには、その裏面部の下端側に、下方へ延出する第二係止片２４が設けてあり、係止部１９Ｂとカバー本体部１９Ａとの嵌合状態においては、この第二係止片２４が、前記係止部１９Ｂの第二係止溝２５に進入して嵌合する。
前記上面部１９Ａａの屈曲部２１と係止部１９Ｂの上縁部１９Ｂａ、及び、第一係止片２２と第一係止溝２３、及び、第二係止片２４と第二係止溝２５とのそれぞれの組み合わせによって、嵌合部２０が構成されている。即ち、本実施形態においては、前記嵌合部２０は、前記カバー部材１９の厚み方向で三箇所に設けられている。従って、カバー本体部１９Ａの横断面内での回転モーメントに対して各嵌合部が抵抗でき、風による吹き上げの防止を図っている。
【００３５】
前記係止部１９Ｂは、合成樹脂の射出成形によって製造してあり、図１１〜１３に示すように、前記カバー本体部１９Ａの上面部１９Ａａに沿う形状の上縁部１９Ｂａと、前記斜面部１９Ａｂに沿う形状の斜縁部１９Ｂｂと、前記側面部１９Ａｃに沿う形状の側縁部１９Ｂｃとを備えている。
そして、前記上縁部１９Ｂａには、前述の第一係止溝２３が形成してある一方、前記斜縁部１９Ｂｂには、前述の第二係止溝２５が形成してある。
また、前記第一係止溝２３の両端部には、係止部１９Ｂへのカバー本体部１９Ａの嵌合時にカバー本体部１９Ａの第一係止片２２を適切な嵌合位置へ誘導するための誘導傾斜部２６がそれぞれ設けてある。そして、誘導傾斜部２６の下方の凹部２６ａに、前記第一係止片２２の先端拡大部が進入して引っ掛かることで、係止部１９Ｂとカバー本体部１９Ａとは抜け止め状態に嵌合できる。
更には、第一係止溝２３の中央部には、図１３〜１５に示すように、第一係止溝２３の側壁から溝内へ突出した爪部２７が設けてある。この爪部２７は、図１５に示すように、上方からカバー本体部１９Ａの第一係止片２２が当接する状態で下降してくると、その接当力で溝背面側へ弾性変形して引退する。この状態では、前記カバー本体部１９Ａと係止部１９Ｂとは、カバー本体部１９Ａの長手方向に沿って相対移動することができる。
しかし、爪部２７上に第一係止片２２が被さらない状態においては、図１６に示すように、この爪部２７は溝内に突出しているから、嵌合状態のカバー本体部１９Ａが長手方向に沿って移動するような場合、カバー本体部１９Ａの端面が爪部２７の側面に突き当たり、それ以上のスライドを阻止することができる。
即ち、この爪部２７によってストッパが構成され、このストッパは、カバー本体部１９Ａと係止部１９Ｂとの前記スライド移動を阻止する作用状態と、阻止しない非作用状態とに切替自在に構成されている。
【００３６】
また、係止部１９Ｂの前記第一係止溝２３の下方には、前記トレーＡの周壁部に形成された前記取付部１４に係止自在な上係止部２８と下係止部２９とを上下にそれぞれ一体的に設けてある。
前記上係止部２８は、前記第一係止溝２３の長手方向での中央部分から下方に突出する状態に形成された第一係止棒状部２８ａで構成してあり、この第一係止棒状部２８ａは、前記取付部１４の溝状部１４Ａに進入できるように形成されている（図１１参照）。
前記下係止部２９は、前記第一係止溝２３の長手方向での両端部からそれぞれ下方に突出する状態に形成された一対の第二係止棒状部２９ａで構成してあり、前記第一係止棒状部２８ａが溝状部１４Ａに進入するに伴って、図１１（ロ）に示すように、先端のフック部２９ｂがトレー本体部４の側面部４ｂに当接して第二係止棒状部２９ａを撓ませ、側面部４ｂを乗り越えた後、弾性復元力で側面部４ｂの下方に回り込む。そして、前記第一係止棒状部２８ａの溝状部１４Ａへの進入終端状態においては、前記フック部２９ｂは、トレー本体部４の側面部４ｂより所定の距離ｈほど離間した下方に位置するように第二係止棒状部２９ａの長さを設定してある。従って、係止部１９Ｂによる前記トレーＡへの係止状態のまま、図１６（イ）に示すように、前記カバー部材１９とトレーＡとを前記距離ｈに相当する範囲で相対的に上下スライド移動させることができる。前記溝状部１４Ａと上係止部２８と下係止部２９によってスライド機構Ｖが構成されている（図１１参照）。
また、前記第二係止棒状部２９ａの下端部分には、前記第二係止棒状部２９ａを側縁部１９Ｂｃ側へ撓み変形させて前記フック部２９ｂによるトレーＡへの係止状態を解除できる屈曲部２９ｃが設けてある。この屈曲部２９ｃが本発明に係わる係止解除部に相当し、前記カバー部材１９の裏面側下方位置に配置してある。
従って、トレーＡにカバー部材１９を取り付けた状態で、図１６（ロ）に示すように、カバー本体部１９Ａと防水層Ｒ２との間に指を入れて、カバー部材１９を前記距離ｈだけ持ち上げて、前記屈曲部２９ｃを解除操作することによって、カバー部材１９を簡単に取り外すことができる。
【００３７】
本実施形態のカバー部材によれば、屋上に直に固定しなくても、トレーＡに対して手間を掛けずに簡単に着脱することが可能となる。また、植栽ゾーンの端部分の美観性を向上させることができる。
【００３８】
尚、上述のように、図面との対照を便利にするために符号を記したが、該記入により本発明は添付図面の構成に限定されるものではない。
【００３９】
〔別実施形態〕
以下に他の実施の形態を説明する。
【００４０】
〈１〉  前記カバー部材は、先の実施形態で説明した別部材のカバー本体部と係止部とで構成されたものに限るものではなく、例えば、両者を一体に形成してあってもよい。
要するに、一体と別体とに拘わらず、カバー本体部と、そのカバー本体部を植栽トレーの側縁部に取付自在な係止部とを備えてあればよく、それらを含めて、カバー部材と総称する。
〈２〉  前記カバー部材の形状は、先の実施形態で説明したものに限るものではなく、適宜、変更することが可能である。勿論、取付対象の植栽トレーの形状も、先の実施形態で説明したものに限るものではない。
【００４１】
尚、上述のように、図面との対照を便利にするために符号を記したが、該記入により本発明は添付図面の構成に限定されるものではない。
【図面の簡単な説明】
【００４２】
【図１】植栽設置状況を示す要部斜視図
【図２】植栽トレー連結状況を示す側面視による要部断面図
【図３】植栽トレーの斜め上方から見た斜視図
【図４】植栽トレーの上面図
【図５】植栽トレーの設置状況を示す要部上面図
【図６】連結ピンの取付状況を示す要部斜視図
【図７】固定具本体の取付状況を示す側面視による要部断面図
【図８】固定具本体を示す分解斜視図
【図９】トレーカバーの取付状況を示す分解斜視図
【図１０】トレーカバーの取付状況を示す分解斜視図
【図１１】トレーカバーの取付状況を示す要部断面図
【図１２】係止部を示す斜視図
【図１３】係止部を示す斜視図
【図１４】係止部を中央部分で仮想切断した切断面を示す斜視図
【図１５】爪部の非作用状態を示す断面図
【図１６】爪部の作用状態を示す断面図
【図１７】従来のトレーカバーを示す断面図
【符号の説明】
【００４３】
１９    カバー部材
１９Ａ  カバー本体部
１９Ｂ  係止部
２０    嵌合部
２７    爪部（ストッパに相当）
２８    上係止部
２９ｃ  屈曲部（係止解除部に相当）
２９    下係止部
Ａ      植栽トレー
Ｖ      スライド機構
【図１】
2005192451.tif 000003
【図２】
2005192451.tif 000004
【図３】
2005192451.tif 000005
【図４】
2005192451.tif 000006
【図５】
2005192451.tif 000007
【図６】
2005192451.tif 000008
【図７】
2005192451.tif 000009
【図８】
2005192451.tif 000010
【図９】
2005192451.tif 000011
【図１０】
2005192451.tif 000012
【図１１】
2005192451.tif 000013
【図１２】
2005192451.tif 000014
【図１３】
2005192451.tif 000015
【図１４】
2005192451.tif 000016
【図１５】
2005192451.tif 000017
【図１６】
2005192451.tif 000018
【図１７】
2005192451.tif 000019